(57)【要約】【課題】ケース本体にリールギヤと係合する規制ボスが設けてある収納ケースにおいて、最悪の条件で収納ケースが落下する場合でも、規制ボスが破損するのを防止でき、とくに大形で重たい業務用のテープカートリッジに好適な収納ケースを提供する。【解決手段】テープカートリッジを収容するケース本体１と、ケース本体１の上開口面を開閉する蓋体３とを一体に備えている。ケース本体１の底壁５の内面左右に、テープリール２２のリールギヤ３０と係合する筒状の規制ボス８を突設する。規制ボス８の筒壁の対向面には、規制ボス３０の突端から上下中途部にわたって一対のスリット１５を形成する。両スリット１５の中心どうしを通る仮想中心線Ｐが、ケース本体１に収容したテープカートリッジの長辺部と平行になるように、両スリット１５を形成する。スリット１５で区分される各筒壁８ａの少なくとも周方向中央部分に、先すぼまり状の薄肉部１６を形成する。【選択図】図１
2008094452.tif 000002
【特許請求の範囲】
【請求項１】
本体ケースの内部左右にテープを巻き取るテープリールが配置され、前記テープリールのボスの内面に、テープドライブの駆動軸と噛み合うリールギヤが形成してあるテープカートリッジを収納対象とし、
収納ケースは、前記テープカートリッジを収容するケース本体と、前記ケース本体の上開口面を開閉する蓋体とを一体に備えており、
前記ケース本体の底壁の内面左右には、前記テープリールのリールギヤと係合する筒状の規制ボスが突設されており、
前記規制ボスの筒壁の対向面には、規制ボスの突端から上下中途部にわたって一対のスリットが形成されており、
前記両スリットの中心どうしを通る仮想中心線が、前記ケース本体に収容した前記テープカートリッジの長辺部と平行になるように、前記両スリットが形成されており、
前記スリットで区分される各筒壁の少なくとも周方向中央部分に、前記各筒壁の上下中途部から前記各筒壁の先端へ向かって先すぼまり状の薄肉部が形成してあるテープカートリッジ用の収納ケース。
【請求項２】
前記規制ボスが断面円形に形成されており、前記薄肉部が、前記スリットで区分される各筒壁の周面全体に先すぼまりテーパー状に形成してある請求項１記載のテープカートリッジ用の収納ケース。
【請求項３】
前記両スリットのスリット幅が、前記リールギヤを構成するギヤ歯の歯先幅より大きく設定されており、
前記スリットの下端位置が、前記ギヤ歯の歯先面の下端位置より高い位置に設定されている請求項１または２記載のテープカートリッジ用の収納ケース。
【発明の詳細な説明】
【技術分野】
【０００１】
本発明は、テープカートリッジを収納保存し、あるいは携行する際に使用するための収納ケース、なかでもケース本体と蓋体とが一体に形成してある収納ケースに関する。
【背景技術】
【０００２】
ケース本体および蓋体と背面壁を一体に備えた収納ケースは、例えば特許文献１に公知である。そこでは、ケース本体と蓋体とを背面壁を介して連結し、ケース本体および蓋体と背面壁との隣接縁を一体成形ヒンジで連結している。特許文献２の収納ケースにおいては、背面壁がケース本体と一体に形成してあって、ケース本体と蓋体との隣接縁を一体成形ヒンジで連結している。
【０００３】
この種の収納ケースにおいて、ポリプロピレン製のケース本体の中央部左右に一対の係止リブを設け、テープリールのハブ穴を係止リブに挿入嵌合することにより、ケース本体に収容したテープカートリッジを位置決めすることが、特許文献３に公知である。係止リブは上向きに開口する円筒状の突起からなり、その筒壁には、筒壁突端から筒壁基端にわたってスリットが形成してある。この収納ケースは、大形で重量が大きな業務用のテープカートリッジを収納対象としており、基本的な仕様として高度の耐久性を備えていることが要求される。
【０００４】
【特許文献１】特開平１１−１７１２８３号公報（段落番号０００８、図２）
【特許文献２】実開平５−５４３８０号公報（段落番号００１２、図２）
【特許文献３】特開２００６−８１４２号公報（段落番号００１４、図１）
【発明の開示】
【発明が解決しようとする課題】
【０００５】
特許文献３の収納ケースにおいては、ケース本体に収容したテープカートリッジを位置決めするために、テープリールのハブ穴を左右一対の係止リブに挿入嵌合する。このように、左右一対の係止リブでテープカートリッジの位置決めを行う収納ケースにおいては、例えば収納ケースを誤って床面に落としてしまった場合などに、落下衝撃が係止リブに集中するため、係止リブが破損することがある。とくに、収納ケースの長辺部が床面と平行な姿勢で落下するとき係止リブが破損しやすい。
【０００６】
その点、特許文献３の収納ケースでは、係止リブにスリットが形成してあるので、スリットで区分された筒壁が弾性変形することによって衝撃荷重を緩和できることが予想される。しかし、対向するスリットの中心どうしを通る仮想線が、テープカートリッジの長辺部に対して斜めに傾くように形成してある。そのため、先の仮想線と直交する向きの衝撃力が係止リブの筒壁に作用する場合には、断面半円状の筒壁が弾性変形して衝撃荷重を効果的に緩和吸収できるが、収納ケースの長辺部が床面と平行な姿勢で落下するとき、つまり落下時のダメージを最も受けやすい姿勢で収納ケースが落下するとき、落下衝撃を効果的に緩和することができず、係止リブが破損しやすい。
【０００７】
スリットが係止リブの筒壁突端から筒壁基端にわたって形成してあるので、筒壁に外力が作用するとき係止リブの基端部分に応力が集中し、さらに断面半円状の筒壁の曲げ強度が低下するのを避けられず、そのことも係止リブが破損しやすい要因となる。
【０００８】
本発明の目的は、ケース本体にテープリールのリールギヤと係合する規制ボスが設けてある収納ケースにおいて、落下時のダメージを最も受けやすい姿勢で収納ケースが落下するような場合でも、規制ボスが破損するのを確実に防止して、テープカートリッジを適正に保護できる収納ケースを提供することにある。本発明の目的は、過酷な使用条件下において使用されることが多く、しかも大型で重量が重い業務用のテープカートリッジに好適な収納ケースを提供することにある。
【課題を解決するための手段】
【０００９】
本発明の収納ケースは、本体ケース２０の内部左右にテープ２１を巻き取るテープリール２２が配置され、テープリール２２のボス２８の内面に、テープドライブの駆動軸と噛み合うリールギヤ３０が形成してあるテープカートリッジを収納対象とする。収納ケースは、テープカートリッジを収容するケース本体１と、ケース本体１の上開口面を開閉する蓋体３とを一体に備えている。ケース本体１の底壁５の内面左右には、テープリール２２のリールギヤ３０と係合する筒状の規制ボス８を突設する。規制ボス８の筒壁の対向面には、規制ボス３０の突端から上下中途部にわたって一対のスリット１５を形成する。両スリット１５の中心とうしを通る仮想中心線Ｐが、ケース本体１に収容したテープカートリッジの長辺部と平行になるように、両スリット１５を形成する。スリット１５で区分される各筒壁８ａの少なくとも周方向中央部分に、各筒壁８ａの上下中途部から各筒壁８の先端へ向かって先すぼまり状の薄肉部１６を形成する。
【００１０】
規制ボス８は断面円形に形成する。薄肉部１６は、スリット１５で区分される各筒壁８ａの周面全体に先すぼまりテーパー状に形成する。
【００１１】
両スリット１５のスリット幅Ｂを、リールギヤ３０を構成するギヤ歯３０ａの歯先幅ｂより大きく設定し、スリット１５の下端位置を、ギヤ歯３０ａの歯先面３０ｂの下端位置より高い位置に設定する。
【発明の効果】
【００１２】
本発明においては、規制ボス８の筒壁の対向面に一対のスリット１５を形成し、両スリット１５の中心どうしを通る仮想中心線Ｐと、ケース本体１に収容したテープカートリッジの長辺部とが平行になるようにした。さらに、スリット１５で区分される各筒壁８ａの少なくとも周方向中央部分に上すぼまり状の薄肉部１６を形成して、筒壁８ａに外力が作用するとき、筒壁８ａがしなやかに弾性変形することで外力を緩和吸収できるようにした。
【００１３】
したがって、本発明の収納ケースによれば、収納ケースの長辺部が床面と平行な姿勢で落下する最悪の状況下であっても、筒壁８ａの薄肉部１６で衝撃力を受け止め、筒壁８ａが弾性変形することで衝撃力を緩和吸収できる。換言すると、規制ボス８の上半部分を下半部分よりも撓みやすくし、上半部分が撓み変形することで衝撃力を緩和するので、規制ボス８の突出基端部分に荷重が集中するのを防止でき、したがって規制ボス８が破損するのを確実に解消して、テープカートリッジを適正に保護できる。とくに、過酷な使用条件下において使用されることが多く、しかも大形で重量が重い業務用のテープカートリッジに好適な収納ケースを提供できる。
【００１４】
規制ボス８を断面円形に形成し、スリット１５で区分される各筒壁８ａの周面全体に先すぼまりテーパー状の薄肉部１６を形成すると、規制ボス８がその周囲の任意方向から外力を受けるとき薄肉部１６を等しく弾性変形させて、収納ケースの落下姿勢とは無関係に常に確実に規制ボス８の破損を防止できる。
【００１５】
両スリット１５のスリット幅Ｂを、リールギヤ３０を構成するギヤ歯３０ａの歯先幅ｂより大きく設定し、スリット１５の下端位置を、ギヤ歯３０ａの歯先面３０ｂの下端位置より高い位置に設定すると、収納ケースの短辺部が床面と平行な姿勢で落下する場合に、ギヤ歯３０ａがスリット１５に入り込もうとする。が、スリット１５の下端位置がギヤ歯３０ａの歯先面３０ｂの下端位置より僅かに高い位置に設定してあるので、歯先面３０ｂの下部がスリット１５の底面の縁で受け止められ、ギヤ歯３０ａはスリット１５内へ入り込めない。このように、ギヤ歯３０ａの一部のみを規制ボス８で受け止めることにより、テープリール２２を傾動させて衝撃を逃がし、さらに傾動したギヤ歯３０ａの他の部分が筒壁８ａに接当し、筒壁８ａの一部が弾性変形することで衝撃を緩和して規制ボス８が破損するのを防止できる。
【発明を実施するための最良の形態】
【００１６】
（実施例）  図１ないし図６は本発明に係る収納ケースの実施例を示す。図１および図２において収納ケースは、ケース本体１と、ケース本体１の後縁に連続する背面壁２と、背面壁２に連続する蓋体３とを一体に備えたプラスチック成形品からなる。ケース本体１は、横長長方形状の底壁５と、底壁５の周縁に沿って設けられる四角枠状の周囲枠６とで、上向きに開口する浅い角箱状に形成してあり、周囲枠６の基端周縁に沿って蓋体３を受け止めるフランジ壁５ａが張り出してある。周囲枠６の前後壁の左右、および左右壁の前後壁には、それぞれテープカートリッジの本体ケース２０の４周側面を受け止める膨出部７が形成してあり、底壁５の左右には、後述するテープリール２２のリールギヤ３０と係合して、テープカートリッジのがた付きを規制する規制ボス８が突設してある。
【００１７】
蓋体３は、底壁５と同形同大の上壁１１と、上壁１１の周縁に沿って設けられるコ字枠状の周囲枠１２とで形成してある。先のケース本体１と背面壁２、および背面壁２と蓋体３とは、それぞれの隣接縁に設けた薄肉の一体成形ヒンジ１３・１４を介して連続している。これにより、背面壁２は一体成形ヒンジ１３を中心にして折り曲げ自在となり、同様に蓋体３は一体成形ヒンジ１４を介して折り曲げ自在となる。
【００１８】
図２に示す開放状態から、背面壁２を起立させながら蓋体３をケース本体１に被せ付けることにより、ケース本体１の上面開口は蓋体３で塞がれ、ケース本体１の周囲枠６の外側面が蓋体３側の周囲枠１２で覆われる。この状態において、後者周囲枠１２の突端縁がフランジ壁５ａで受け止められている。図示していないが、ケース本体１と蓋体３との間には、蓋体３が不用意に開放するのを規制するためのロック構造が設けてある。
【００１９】
図１において、テープカートリッジは、横長角箱状の本体ケース２０の内部左右にテープ（磁気テープ）２１を巻き取るテープリール２２・２２が配置してある、主として業務用のテープカートリッジからなり、その全体重量は１９２ｇである。本体ケース２０の一方の長辺部には、ローディングポケットを揺動開閉するリッド２３が設けてある。
【００２０】
図３に示すように、テープリール２２は、リールハブ２５が一体に形成してある下フランジ２６と、下フランジ２６に固定される上フランジ２７とで構成してある。リールハブ２５の内面にはボス２８が一体に設けられており、このボス２８で囲まれるハブ穴２９に、テープドライブ側の駆動軸（図示していない）と噛み合うスプライン穴状のリールギヤ３０が形成してある。図４に示すようにリールギヤ３０は、ハブ穴２９の内面に６個のギヤ歯３０ａを等間隔おきに突設して形成してある。先の上フランジ２７は、ボス２８の上端面に溶着固定してある。不使用状態におけるテープリール２２は、板ばねからなるリール押えばね３１で下向きに押圧されており、これにより、下フランジ２６の中央部分が、本体ケース２０の底壁に開口した駆動軸挿入穴３２を介してケース外面に臨んでいる（図３参照）。つまり、ハブ穴２９およびリールギヤ３０は、それぞれ駆動軸挿入穴３２を介してケース外に臨んでいる。
【００２１】
テープカートリッジは、図２に示すようにリッド２３が背面壁２の側を向く姿勢でケース本体１に収容され、そのテープリール２２のリールギヤ３０が規制ボス８と係合する。詳しくは、６個のギヤ歯３０ａで囲まれる空間内に規制ボス８が嵌まり込んで、テープカートリッジ全体ががた付くのを規制する。図４に示すように、ギヤ歯３０ａと規制ボス８とは僅かな隙間（約０．３ｍｍ）を介して係合している。
【００２２】
以上のように構成した収納ケースにおいて、落下時のダメージを最も受けやすい姿勢で収納ケースが落下するような場合でも、規制ボス８が破損するのを防止するために、規制ボス８の筒壁に、テープカートリッジの収納姿勢との関係を考慮して一対のスリット１５を形成し、さらにスリット１５で分断される断面半円状の筒壁８ａの外面に薄肉部１６を形成する点に本発明の特長がある。
【００２３】
図１および図４に示すように、スリット１５は、規制ボス８の突端から上下中央のやや下側にわたって形成してあり、両スリット１５・１５の中心どうしを通る仮想中心線Ｐが、ケース本体１に収容したテープカートリッジの長辺部と平行になるように形成する。スリット１５のスリット幅Ｂは、ギヤ歯３０ａの歯先幅ｂより大きく設定している。この実施例では、歯先幅ｂを２ｍｍとするとき、スリット幅Ｂを４ｍｍとした。スリット１５の底面は半円状に丸めてある。
【００２４】
薄肉部１６は、各筒壁８ａの周面全体にわたって上すぼまりテーパー状に形成してあり、その下端位置をスリット１５の下端位置と同じ高さに設定してある。この高さはギヤ歯３０ａの歯先面３０ｂの下端位置より僅かに高い位置に設定してある。その理由は後述する。なお、薄肉部１６の上端の厚み寸法は、規制ボス８の筒壁厚みの半分とした。
【００２５】
このように、上すぼまりテーパー状に形成した薄肉部１６は、落下衝撃などの外力を受けて弾性変形することにより衝撃力を緩和できる。また、筒壁８ａの周面全体に薄肉部１６を形成することにより、規制ボス８の周りの任意方向から作用する外力を受けるとき、薄肉部１６を等しく弾性変形させることができる。さらに、本体ケース２０を膨出部７にあてがいながらテープカートリッジをケース本体１の内部に装填するとき、上すぼまりテーパー状の薄肉部１６は、リールギヤ３０が規制リブ８に嵌まり込むときの誘導案内面として機能するので、テープカートリッジの装填を簡便に行える。
【００２６】
以上のように、ケース本体１に収容したテープカートリッジの長辺部と、両スリット１５・１５の中心どうしを通る仮想中心線Ｐとが平行になるようにスリット１５を形成すると、収納ケースの長辺部が床面と平行な姿勢で落下する場合の落下衝撃を、スリット１５で分断された筒壁８ａの周面で受け止めて、薄肉部１６が弾性変形することで衝撃を緩和できる。
【００２７】
例えば、図５に示すように１個のギヤ歯３０ａが筒壁８ａの薄肉部１６の周方向中央部分に接当する最悪の条件下では、筒壁８ａの周方向中央部分が押し潰され、同時にスリット１５に臨む筒壁両端が径方向外側へ撓むことになる。つまり、筒壁８ａの全体が撓み変形することで衝撃力を緩和吸収する。その場合でも、ギヤ歯３０ａの歯先面３０ｂの全体が薄肉部１６に接当するのではなく、歯先面３０ｂの下側部分が筒壁８ａに先当りする。
【００２８】
上記のように、規制ボス８の上半部分を下半部分よりも撓みやすくし、上半部分が撓み変形することで衝撃力を緩和できるようにすると、規制ボス８の突出基端部分に荷重が集中するのを防止でき、したがって規制ボス８が破損するのを確実に解消できる。場合によっては、筒壁８ａの中央部と、撓み変形した筒壁両端が３個のギヤ歯３０ａで受け止められることも予想される。その場合には、衝撃荷重が筒壁８ａの周方向中央部に集中するのを防いで、荷重を分散できるうえ、筒壁８ａが過剰に変形するのを規制できる。
【００２９】
２個のギヤ歯３０ａが筒壁８ａの薄肉部１６の周面に同時に接当することがある。その場合には、接当個所が増える分だけ衝撃荷重を分散して受け止めることができるうえ、薄肉部１６が複雑な形に弾性変形して衝撃力を緩和するので、同様に規制ボス８が破損するのを防止できる。２個のギヤ歯３０ａが、スリット１５を間にして隣接する筒壁８ａの薄肉部１６の周面に同時に接当することがある。この場合には、衝撃荷重を各筒壁８ａで分散して受け止めることができるうえ、薄肉部１６が複雑な形に弾性変形して衝撃力を緩和するので、同様に規制ボス８が破損するのを防止できる。収納ケースの短辺部が床面と平行な姿勢で落下する場合や、収納ケースの隅部分が床面と接当するような場合にも、同様に衝撃荷重を筒壁８ａで受け止めて、規制ボス８が破損するのを防止できる。
【００３０】
収納ケースの短辺部が床面と平行な姿勢で落下する場合には、図６に示すようにギヤ歯３０ａがスリット１５に入り込もうとするが、スリット１５の下端位置（底面）がギヤ歯３０ａの歯先面３０ｂの下端位置より高い位置に設定してあり、さらに底面が半円状に形成してあるので、歯先面３０ｂの下部がスリット１５の底面の縁で受け止められ、ギヤ歯３０ａはスリット１５内へ入り込めない。このように、ギヤ歯３０ａの一部のみを規制ボス８で受け止めることにより、テープリール２２を傾動させて衝撃を逃がし、さらに傾動したギヤ歯３０ａの他の部分が筒壁８ａに接当し、筒壁８ａの一部が弾性変形することで衝撃を緩和して規制ボス８が破損するのを防止できる。
【００３１】
テープリール２２が傾動するのに伴い、歯先面３０ｂの側縁が半円状の縁に案内されながら押し上げられて、ギヤ歯３０ａの一部がスリット１５内に入り込むことがある。このときの、歯先面３０ｂとスリット１５の半円状の縁との摩擦によって、衝撃の一部が緩和される。さらに、スリット１５内に入り込んだギヤ歯３０ａがスリット１５に臨む筒壁８ａの端部で受け止められ、筒壁８ａの一部が弾性変形することで衝撃を緩和して、規制ボス８が破損するのを防止できる。
【００３２】
図７は薄肉部１６の別の実施例を示す。そこでは、スリット１５で区分される各筒壁８ａの周方向中央部分に限って、各筒壁８ａの上下中途部から各筒壁８ａの先端へ向かって先すぼまり状の薄肉部１６を形成した。この実施例における筒壁８ａは、薄肉部１６に衝撃力が作用するとき最も弾性変形しやすく、したがって、収納ケースの長辺部が床面と平行な姿勢で落下する場合の落下衝撃を筒壁８ａが弾性変形することで吸収して、規制ボス８が破損するのを防止できる。他は先の実施例と同じであるので、同じ部材に同じ符号を付してその説明を省略する。以下の実施例においても同様に扱う。
【００３３】
薄肉部１６は図８に示すように形成することができる。図８（ａ）では、筒壁８ａの内周面の全体を上すぼまりテーパー状に形成して薄肉部１６とした。図８（ｂ）では、筒壁８ａの内周面および外周面のそれぞれを上すぼまりテーパー状に形成して薄肉部１６とした。
【００３４】
上記の実施例以外に、規制ボス８の断面形状は円形である必要はなく、楕円や多角形状などに変更することができる。スリット１５の底面の形状は半円状である必要はなく、Ｖ字状や、逆台形状に形成することができる。必要があれば底面を平坦面で形成することができる。上記の実施例では、薄肉部１６を上すぼまり状に形成したが、その必要はなく、規制ボス８の肉厚に比べて薄く、しかも均一の厚みの肉壁で薄肉部１６を形成してもよい。
【図面の簡単な説明】
【００３５】
【図１】収納ケースとテープカートリッジを分離した状態で示す斜視図である。
【図２】収納ケースの蓋を開放した状態の平面図である。
【図３】図２におけるＡ−Ａ線断面図である。
【図４】図３におけるＣ−Ｃ線断面図である。
【図５】規制ボスの衝撃緩和動作を示す動作説明図である。
【図６】規制ボスの別の衝撃緩和動作を示す動作説明図である。
【図７】規制ボスの別の実施例を示す斜視図である。
【図８】薄肉部の別の実施例を示す断面図である。
【符号の説明】
【００３６】
１  ケース本体
３  蓋体
５  底壁
８  規制ボス
８ａ  筒壁
１５  スリット
１６  薄肉部
２０  本体ケース
２１  テープ
２２  テープリール
２９  ハブ穴
３０  リールギヤ
３０ａ  ギヤ歯
【図１】
2008094452.tif 000003
【図２】
2008094452.tif 000004
【図３】
2008094452.tif 000005
【図４】
2008094452.tif 000006
【図５】
2008094452.tif 000007
【図６】
2008094452.tif 000008
【図７】
2008094452.tif 000009
【図８】
2008094452.tif 000010